(57)【特許請求の範囲】
【請求項１】
冷媒を含む吸収液を加熱手段により加熱して吸収液から冷媒蒸気を分離させる再生器と、
該再生器によって分離した前記冷媒蒸気を冷却して凝縮させる凝縮器と、
該凝縮器で生じた冷媒液を低圧下で蒸発させる蒸発器と、
前記再生器で前記冷媒蒸気が分離された吸収液に、前記蒸発器で蒸発した冷媒蒸気を吸収させる吸収器と、
前記吸収器から前記再生器へ吸収液を戻すための吸収液ポンプとから吸収サイクルを形成するとともに、
冷暖切替え弁を備えた暖房用吸収液流路により前記再生器と前記蒸発器とを接続し、前記冷暖切替え弁の閉弁時には、前記吸収サイクルの作動により前記蒸発器を冷却源とするとともに、前記冷暖切替え弁の開弁時には、前記再生器で加熱された吸収液を前記蒸発器へ供給して加熱源とする吸収式熱源機と、
冷温水を遮断する開閉弁をそれぞれ備えた任意の台数の空調用熱交換器及び床暖房パネルを、前記蒸発器内に配した熱交換用配管に対して並列接続可能に設け、前記熱交換用配管で加熱又は冷却された冷温水を冷温水ポンプによって前記空調用熱交換器及び前記床暖房パネルに循環させる冷温水循環回路と、
冷房運転時には前記冷暖切替え弁を閉弁制御し、暖房運転時には前記冷暖切替え弁を開弁制御することによって、冷房運転と暖房運転との切替えや運転開始・停止を制御する運転制御手段を具備する吸収式空調装置の制御装置において、
前記運転制御手段により、冷房運転又は暖房運転が行われていないとき、外気温度を検知する外気温度検知手段と、
該外気温度検知手段によって検知される外気温度が所定温度以下の場合に、前記開閉弁を開弁制御するとともに、前記冷温水循環回路に接続された空調用熱交換器及び床暖房パネルの端末台数に応じた回転数に前記冷温水ポンプを制御する冷温水凍結防止手段とを具備し、
該冷温水凍結防止手段は、前記冷温水循環回路に床暖房パネルが接続されている場合には、前記空調用熱交換器の接続台数に関係なく、前記床暖房パネルの接続台数に応じた回転数に前記冷温水ポンプを制御することを特徴とする吸収式空調装置の制御装置。
【請求項２】
冷媒を含む吸収液を加熱手段により加熱して吸収液から冷媒蒸気を分離させる再生器と、
該再生器によって分離した前記冷媒蒸気を冷却して凝縮させる凝縮器と、
該凝縮器で生じた冷媒液を低圧下で蒸発させる蒸発器と、
前記再生器で前記冷媒蒸気が分離された吸収液に、前記蒸発器で蒸発した冷媒蒸気を吸収させる吸収器と、
前記吸収器から前記再生器へ吸収液を戻すための吸収液ポンプとから吸収サイクルを形成するとともに、
冷暖切替え弁を備えた暖房用吸収液流路により前記再生器と前記蒸発器とを接続し、前記冷暖切替え弁の閉弁時には、前記吸収サイクルの作動により前記蒸発器を冷却源とするとともに、前記冷暖切替え弁の開弁時には、前記再生器で加熱された吸収液を前記蒸発器へ供給して加熱源とする吸収式熱源機と、
冷温水を遮断する開閉弁をそれぞれ備えた任意の台数の空調用熱交換器及び床暖房パネルを、前記蒸発器内に配した熱交換用配管に対して並列接続可能に設け、前記熱交換用配管で加熱又は冷却された冷温水を冷温水ポンプによって前記空調用熱交換器及び前記床暖房パネルに循環させる冷温水循環回路と、
冷房運転時には前記冷暖切替え弁を閉弁制御し、暖房運転時には前記冷暖切替え弁を開弁制御することによって、冷房運転と暖房運転との切替えや運転開始・停止を制御する運転制御手段を具備する吸収式空調装置の制御装置において、
前記運転制御手段により、冷房運転又は暖房運転が行われていないとき、外気温度を検知する外気温度検知手段と、
該外気温度検知手段によって検知される外気温度が所定温度以下の場合に、前記開閉弁を開弁制御するとともに、前記冷温水循環回路に接続された空調用熱交換器及び床暖房パネルの端末台数に応じた回転数に前記冷温水ポンプを制御する冷温水凍結防止手段とを具備し、
該冷温水凍結防止手段は、前記冷温水循環回路に前記床暖房パネルが接続されていない場合には、前記空調用熱交換器の接続台数に応じた回転数に前記冷温水ポンプを制御することを特徴とする吸収式空調装置の制御装置。
【発明の詳細な説明】
【０００１】
【発明の属する技術分野】
本発明は、臭化リチウムなどの水溶液を吸収液とする吸収サイクルを形成するとともに再生器から蒸発器へ吸収液を供給する暖房用の吸収液流路を設けて、暖房用の吸収液流路中の弁の開閉によって暖房運転と冷房運転とを切替える吸収式空調装置の制御装置に関し、特に、熱源機となる空調機本体と室内機及び床暖房パネルとの間に設けられた冷温水配管（冷温水循環回路）内の冷温水の凍結防止を図るための技術に関する。
【０００２】
【従来の技術】
吸収サイクルを用いた吸収式空調装置では、冷房運転時には、吸収サイクルにおいて、再生器でバーナの加熱により沸騰した低濃度吸収液から冷媒蒸気が分離され、冷媒蒸気は凝縮器で冷却されて冷媒液となり蒸発器へ供給される。再生器で冷媒蒸気が分離されて高濃度となった吸収液は、吸収器へ供給される。吸収器と蒸発器とは連通しており、冷媒液は蒸発器で蒸発して熱を奪って冷却源を形成し、蒸発器内に配した冷温水配管内を循環する冷温水を冷却して、室内機の空調用熱交換器に循環させることで、室内の冷房を行う。
吸収液は吸収器で冷媒蒸気（蒸発器で気化したもの）を吸収し、このときの発熱を外部へ排出するために、吸収器内には熱交換用配管が設けられていて、冷却水ポンプによって供給される冷却水の通過によって外部へ排熱される。
【０００３】
暖房運転時には、上記構成の吸収サイクルとは別に再生器と蒸発器とを連絡する吸収液流路中の冷暖切替え弁を開弁し、バーナで加熱された吸収液を蒸発器内へ供給することにより、蒸発器内の冷温水配管を通過する冷温水を加熱して室内機及び床暖房パネルへ循環させる。
【０００４】
上記構成において、熱源機となる空調機本体と室内機及び床暖房パネルとの間には、空調機本体で冷却又は加熱された冷温水を循環させるための冷温水循環回路が形成されており、各運転において、蒸発器内で冷却或いは加熱された冷温水が室内機等へ供給されて、室内の冷房又は暖房を行う。
ここで、空調機本体は、吸収サイクルを形成しているため、ある程度大きな能力を有するものの方が効率が良く、そのため、１台の空調機本体に対して、複数の室内機及び床暖房パネル等の端末を設けることが可能なマルチエアコンとして商品化されている。
【０００５】
上記のように、吸収サイクルを用いて冷房運転と暖房運転とを切替えによって行うようにした吸収式空調装置では、熱源機としての空調機本体と室内機等の端末との間は冷温水配管で接続されており、冷温水配管の外側には、熱効率の低下を防止するために、通常の断熱処理が施されている。
このように構成された吸収式空調装置では、冷寒期等の運転停止中において、空調機本体と室内機等の端末との間の冷温水配管内での凍結を防止するために、従来では、冷温水ポンプを駆動することで冷温水配管内で冷温水を流動させることが行われてきた。
この場合、運転停止中に冷温水の凍結防止のために冷温水ポンプを駆動する場合には、床暖房パネルのように負荷の大きな端末が接続されていることを前提にして、比較的大きな回転数（例えば２７００ｒｐｍ）が設定されている。
【０００６】
【発明が解決しようとする課題】
上述のとおり、吸収式空調装置では、室内機及び床暖房パネルなどの複数の端末が接続可能にされているために、冷温水配管が必ずしも同じ条件で設置されているとは限らず、使用者によって、冷温水配管の配管長さや接続された端末の数が異なり、それとともに、冷温水回路内に充填された冷温水の量も異なる。
従って、床暖房パネルが設置されていない場合や、室内機の台数が少ない（例えば１台）の場合には、必要以上に大きな回転数で冷温水ポンプが駆動されることになり、ポンプ騒音が大きいという問題がある。
【０００７】
本発明は、熱源機と室内機との間の冷温水配管内に冷温水を循環させる吸収式空調装置において、運転停止中における冷温水配管内の冷温水の凍結を防止するに際して、設置条件に応じて騒音の発生を抑制し、消費電力も低下することを目的とする。
【０００８】
【課題を解決するための手段】
本発明の請求項１において、冷媒を含む吸収液を加熱手段により加熱して吸収液から冷媒蒸気を分離させる再生器と、該再生器によって分離した前記冷媒蒸気を冷却して凝縮させる凝縮器と、該凝縮器で生じた冷媒液を低圧下で蒸発させる蒸発器と、前記再生器で前記冷媒蒸気が分離された吸収液に、前記蒸発器で蒸発した冷媒蒸気を吸収させる吸収器と、前記吸収器から前記再生器へ吸収液を戻すための吸収液ポンプとから吸収サイクルを形成するとともに、冷暖切替え弁を備えた暖房用吸収液流路により前記再生器と前記蒸発器とを接続し、前記冷暖切替え弁の閉弁時には、前記吸収サイクルの作動により前記蒸発器を冷却源とするとともに、前記冷暖切替え弁の開弁時には、前記再生器で加熱された吸収液を前記蒸発器へ供給して加熱源とする吸収式熱源機と、冷温水を遮断する開閉弁をそれぞれ備えた任意の台数の空調用熱交換器及び床暖房パネルを、前記蒸発器内に配した熱交換用配管に対して並列接続可能に設け、前記熱交換用配管で加熱又は冷却された冷温水を冷温水ポンプによって前記空調用熱交換器及び前記床暖房パネルに循環させる冷温水循環回路と、冷房運転時には前記冷暖切替え弁を閉弁制御し、暖房運転時には前記冷暖切替え弁を開弁制御することによって、冷房運転と暖房運転との切替えや運転開始・停止を制御する運転制御手段を具備する吸収式空調装置の制御装置において、前記運転制御手段により、冷房運転又は暖房運転が行われていないとき、外気温度を検知する外気温度検知手段と、該外気温度検知手段によって検知される外気温度が所定温度以下の場合に、前記開閉弁を開弁制御するとともに、前記冷温水循環回路に接続された空調用熱交換器及び床暖房パネルの端末台数に応じた回転数に前記冷温水ポンプを制御する冷温水凍結防止手段とを具備し、該冷温水凍結防止手段は、前記冷温水循環回路に床暖房パネルが接続されている場合には、前記空調用熱交換器の接続台数に関係なく、前記床暖房パネルの接続台数に応じた回転数に前記冷温水ポンプを制御することを特徴とする。
【０００９】
本発明の請求項２において、冷媒を含む吸収液を加熱手段により加熱して吸収液から冷媒蒸気を分離させる再生器と、該再生器によって分離した前記冷媒蒸気を冷却して凝縮させる凝縮器と、該凝縮器で生じた冷媒液を低圧下で蒸発させる蒸発器と、前記再生器で前記冷媒蒸気が分離された吸収液に、前記蒸発器で蒸発した冷媒蒸気を吸収させる吸収器と、前記吸収器から前記再生器へ吸収液を戻すための吸収液ポンプとから吸収サイクルを形成するとともに、冷暖切替え弁を備えた暖房用吸収液流路により前記再生器と前記蒸発器とを接続し、前記冷暖切替え弁の閉弁時には、前記吸収サイクルの作動により前記蒸発器を冷却源とするとともに、前記冷暖切替え弁の開弁時には、前記再生器で加熱された吸収液を前記蒸発器へ供給して加熱源とする吸収式熱源機と、冷温水を遮断する開閉弁をそれぞれ備えた任意の台数の空調用熱交換器及び床暖房パネルを、前記蒸発器内に配した熱交換用配管に対して並列接続可能に設け、前記熱交換用配管で加熱又は冷却された冷温水を冷温水ポンプによって前記空調用熱交換器及び前記床暖房パネルに循環させる冷温水循環回路と、冷房運転時には前記冷暖切替え弁を閉弁制御し、暖房運転時には前記冷暖切替え弁を開弁制御することによって、冷房運転と暖房運転との切替えや運転開始・停止を制御する運転制御手段を具備する吸収式空調装置の制御装置において、前記運転制御手段により、冷房運転又は暖房運転が行われていないとき、外気温度を検知する外気温度検知手段と、該外気温度検知手段によって検知される外気温度が所定温度以下の場合に、前記開閉弁を開弁制御するとともに、前記冷温水循環回路に接続された空調用熱交換器及び床暖房パネルの端末台数に応じた回転数に前記冷温水ポンプを制御する冷温水凍結防止手段とを具備し、該冷温水凍結防止手段は、前記冷温水循環回路に前記床暖房パネルが接続されていない場合には、前記空調用熱交換器の接続台数に応じた回転数に前記冷温水ポンプを制御することを特徴とする。
【００１１】
【発明の作用・効果】
（請求項１について）
運転制御手段により、冷房運転又は暖房運転が行われていないときに、外気温度検知手段によって検知される外気温度が所定温度以下になると、空調用熱交換器及び床暖房パネルに備えられた開閉弁が開弁されるとともに、冷温水ポンプが駆動される。この駆動の際に、冷温水ポンプの回転数は、蒸発器内の熱交換用配管に並列接続された空調用熱交換器及び床暖房パネルの端末台数に応じた回転数に制御される。
従って、接続された空調用熱交換器及び床暖房パネルの台数が多い場合には、大きい回転数で冷温水ポンプを駆動することで、各端末に対して確実に冷温水を循環させることができ、冷温水の流動によって凍結を防止することができる。
また、接続された端末の台数が少ない場合には、冷温水ポンプの回転数を小さくすることができるため、冷温水ポンプの駆動に伴う騒音の発生を抑制することができる。
床暖房パネルは、冷温水ポンプの負荷として大きいものであり、床暖房パネルが１台接続されているか否かで負荷が大幅に異なり、空調用熱交換器の接続台数による負荷の差は小さい。
従って、床暖房パネルの接続の有無を判別して、床暖房パネルが接続されている場合には、空調用熱交換器の接続台数に関係なく、床暖房パネルの接続台数に応じて冷温水ポンプの回転数が制御される。
これによって、床暖房パネルのように、圧力損失が大きい端末が接続された場合に、床暖房パネルの接続台数が多いほど大きな回転数で駆動することによって、床暖房パネルに対しても、確実に冷温水を循環させることができ、凍結防止を図ることができる。床暖房パネルの接続台数が少ない場合には、冷温水ポンプの回転数を比較的抑えて、可能な限り騒音を抑制できる。
【００１６】
（請求項２について）
床暖房パネルが接続されていない場合には、冷温水ポンプの負荷は、空調用熱交換器の接続台数に依存するため、床暖房パネルが接続されていない場合には、空調用熱交換器の接続台数に応じて冷温水ポンプの回転数を制御する。
これによって、空調用熱交換器の台数に応じた必要最小限の回転数を設定することができるため、接続された空調用熱交換器の台数が少ない程、冷温水ポンプの回転数が抑えられて、騒音を抑制できる。また、消費電力も抑制できる。
【００１７】
【発明の実施の形態】
図１は、本発明に関わる吸収式空調装置の実施例を示す。
吸収式空調装置は、吸収式熱源機としての室外機１００と複数の室内機ＲＵとからなる。
室外機１００は、図２に示すように、熱源機本体１０１と冷却塔（クーリングタワー）ＣＴとから構成される。なお、空調装置は、制御装置２００により制御される。
【００１８】
室外機１００において、  熱源機本体１０１は、主にステンレスによって成形され、冷媒及び吸収液としての臭化リチウム水溶液の冷凍用の吸収サイクルを形成するもので、Ｂは加熱手段としてのガスバーナ、１は高温再生器、２は低温再生器、３は吸収器、４は蒸発器、５は凝縮器であり、吸収液内には、ステンレスと臭化リチウムとの反応による腐食を抑制するためのインヒビターが含まれている。
【００１９】
高温再生器１では、加熱タンク１１の内部に供給された低濃度吸収液をガスバーナＢによって加熱し、中濃度吸収液分離筒１２と吸収液仕切り容器１３との間に形成された筒状の吸収液上昇流路１４を加熱された吸収液が上昇すると、加熱により低濃度吸収液中の冷媒としての水が蒸発して冷媒蒸気（水蒸気）として分離して、冷媒蒸気の蒸発により濃化した中濃度吸収液は、吸収液戻し板１５によって内側へ方向を転換されて吸収液仕切り容器１３内へ戻される。
【００２０】
冷媒が分離されて高濃度化された中濃度吸収液は、吸収液仕切り容器１３の側部に開口した中濃度吸収液流路Ｌ１から、低温再生器２へ供給される。
また、分離した冷媒蒸気は冷媒回収タンク１０で回収されて、冷媒流路Ｌ５により凝縮器５へ供給される。
尚、吸収液仕切り容器１３の底部には、暖房運転時に、加熱された吸収液を蒸発器４内へ供給するための暖房用吸収液流路Ｌ４の流入口が開口している。
【００２１】
冷媒回収タンク１０内の下部内側には、冷媒仕切り筒１７が中濃度吸収液分離筒１２に接合されていて、中濃度吸収液分離筒１２との間に断熱用間隙１７ａを形成しているため、中濃度吸収液分離筒１２内の熱が遮断され、冷媒回収タンク１０内の冷媒が、吸収液上昇流路１４内の高温の吸収液によって加熱されることがない。
冷媒回収タンク１０は、冷媒仕切り筒１７の外側が、分離された冷媒液を貯留する冷媒貯留部１０ａとなっており、冷媒貯留部１０ａに貯留された冷媒液は、冷媒流路Ｌ５から凝縮器５へ供給される。
【００２２】
低温再生器２では、途中に熱交換器Ｈを通過する中濃度吸収液流路Ｌ１によって供給される中濃度吸収液が、低温再生器ケース２０の天井から流入して冷媒回収タンク１０の外壁を熱源として再加熱され、気液分離部２２で冷媒蒸気と高濃度吸収液とに分離され、冷媒蒸気は、冷媒蒸気出口２１および隙間５Ａから凝縮器ケース５０内へ、高濃度吸収液は、高濃度吸収液受け部２３に貯留され、高濃度吸収液流路Ｌ２により吸収器３へ供給される。
【００２３】
尚、中濃度吸収液流路Ｌ１中には、吸収液仕切り容器１３から低温再生器２へ流れる中濃度吸収液の流量を制限するためのオリフィス（図示なし）が設けられていて、低温再生器ケース２０内へは中濃度吸収液分離筒１２との圧力差により中濃度吸収液が供給される。（低温再生器ケース２０内では、約７０ｍｍＨｇ、中濃度吸収液分離筒１２内では約７００ｍｍＨｇ）
【００２４】
吸収器３は、蒸発・吸収ケース３０内に銅管を縦型円筒状に巻設され内部を排熱用冷却水が流れる吸収管としてコイル状に巻かれた吸収コイル３１が捲回されており、高濃度吸収液流路Ｌ２により低温再生器２の高濃度吸収液受け部２３から供給される高濃度吸収液が圧力差により流入して、高濃度吸収液散布具３２により吸収コイル３１の上端に散布され、吸収コイル３１の表面に付着して薄膜状になり、重力の作用で下方に流下し、水蒸気を吸収して低濃度吸収液となる。この水蒸気を吸収する際に吸収コイル３１の表面で発熱するが、吸収コイル３１を循環する排熱用冷却水により冷却される。
尚、吸収液に吸収される水蒸気は、後述する蒸発器４で冷媒蒸気として発生したものである。
【００２５】
吸収器３内の低濃度吸収液は、吸収液ポンプＰ１の作動により、底部３３から、熱交換器Ｈおよび吸収液ポンプＰ１が装着された低濃度吸収液流路Ｌ３によって加熱タンク１１内へ供給される。
また吸収コイル３１内には、冷房運転時に、冷却塔ＣＴで冷却された排熱用冷却水が、凝縮器５の冷却コイル５１を介して循環する。
【００２６】
蒸発器４は、蒸発・吸収ケース３０内の吸収コイル３１の外周に設けた縦型円筒形で多数の連通口（図示なし）付きの仕切り板４０の外周に、内部を冷暖房用の冷温水が流れる銅管からなる縦型円筒形の蒸発コイル４１を配設し、その上方に冷媒液散布具４２を取り付けてなる。尚、蒸発器４の底部４３は、電磁式の冷暖切替え弁６を有する暖房用吸収液流路Ｌ４により中濃度吸収液分離筒１２内の吸収液仕切り容器１３の底部と連通している。
【００２７】
以上の構成により、蒸発器４では、冷房運転時に冷媒液散布具４２より冷媒液（水）を蒸発コイル４１の上に流下させると、流下された冷媒液は、表面張力で蒸発コイル４１の表面を濡らして膜状となり、重力の作用で下方へ降下しながら低圧（例えば、６．５ｍｍＨｇ）となっている蒸発・吸収ケース３０内で蒸発コイル４１から気化熱を奪って蒸発し、蒸発コイル４１内を流れる空調用の冷温水を冷却する。
【００２８】
凝縮器５では、凝縮器ケース５０内には、冷却コイル５１によって冷却された冷媒蒸気が液化した冷媒液を凝縮器ケース５０の底から浮かした位置で受けるための皿状の冷媒液受け部５２が設けられていて、冷媒液受け部５２は、蒸発器４の冷媒液散布具４２の上方に設けられて、供給される冷媒液の自己冷却により冷媒液を冷却させる冷媒冷却器５３と、冷媒液供給路Ｌ６によって連通して組付けられている。
【００２９】
以上の構造を有する凝縮器５は、冷媒流量を制限するためのオリフィス（図示なし）が設けられた冷媒流路Ｌ５により冷媒回収タンク１０の冷媒貯留部１０ａと連通するとともに、冷媒蒸気出口２１および隙間５Ａを介して低温再生器２とも連通しており、いずれも圧力差（凝縮器ケース内では約７０ｍｍＨｇ）により冷媒が供給される。
冷房運転時において、凝縮器ケース５０内に供給された冷媒蒸気は、冷却コイル５１により冷却されて液化し、凝縮器５の下部に設けられた冷媒液受け部５２から蒸発器４内に配置された冷媒液冷却器５３へ冷媒液供給路Ｌ６を介して供給される。
【００３０】
冷媒液受け部５２をオーバーフローした冷媒液は、凝縮器ケース５０の底によって形成される冷媒液貯留部５４に貯留され、冷房運転時に吸収サイクルを循環する吸収液の濃度を実質的に高く維持して、冷房性能を確保している。そして、冷媒液貯留部５４と冷媒冷却器５３とは、冷媒弁７を備えた冷媒液流路Ｌ７によって連通しており、冷媒液の凍結の恐れのある場合に、冷媒弁７の開弁制御によって蒸発器４に冷媒液が供給されて、蒸発器４内の蒸気圧を高くすることにより凍結を防止する。
また、暖房運転の開始時にも、冷媒弁７が開弁されて、冷房運転時に冷媒液貯留部５４内に貯留された冷媒液が全て蒸発器４内へ供給され、暖房運転時に加熱されて循環する吸収液の濃度を低く維持して晶析が防止される。
【００３１】
以上の構成により、冷房運転時において、吸収液は、高温再生器１→中濃度吸収液流路Ｌ１→低温再生器２→高濃度吸収液流路Ｌ２→高濃度吸収液散布具３２→吸収器３→吸収液ポンプＰ１→低濃度吸収液流路Ｌ３→高温再生器１の順に循環する。
また、冷媒は、高温再生器１（冷媒蒸気）→冷媒流路Ｌ５（冷媒蒸気）又は低温再生器２（冷媒蒸気）→凝縮器５（冷媒液）→冷媒供給路Ｌ６（冷媒液）又は冷媒液流路Ｌ７（冷媒液）→冷媒冷却器５３→冷媒液散布具４２（冷媒液）→蒸発器４（冷媒蒸気）→吸収器３（吸収液）→吸収液ポンプＰ１→低濃度吸収液流路Ｌ３→高温再生器１の順に循環する。
【００３２】
上記、吸収液と熱交換する吸収器３の吸収コイル３１と凝縮器５の冷却コイル５１は、接続されて連続コイルを形成しており、連続コイルは、冷却水流路３４によって冷却塔ＣＴと接続されて冷却水循環路を形成している。
この冷却水循環路において、吸収コイル３１の入口と冷却塔ＣＴとの間の冷却水流路３４には、連続コイル内へ冷却水を送り込むための冷却水ポンプＰ２が設けられており、冷却水ポンプＰ２の作動により連続コイルを通過する冷却水は、吸収コイル３１で吸収熱を、冷却コイル５１で凝縮熱をそれぞれ吸熱して比較的高温となって、冷却塔ＣＴに供給される。
【００３３】
上記の構成により、冷房運転時には、冷却水ポンプＰ２の作動により冷却塔ＣＴ内の冷却水が、冷却塔ＣＴ→冷却水ポンプＰ２→吸収コイル３１→冷却コイル５１→冷却塔ＣＴの順に循環する。
冷却塔ＣＴでは、落下する冷却水を大気中に一部蒸発させて、残りの冷却水を冷却する自己冷却がなされており、冷却水は、大気中に放熱して低温度になる排熱サイクルを形成している。なお、送風機Ｓからの送風により、水の蒸発を促進させている。
蒸発器４の蒸発コイル４１には、室内機ＲＵに設けられた空調熱交換器４４が冷温水流路４７で連結されていて、冷温水流路４７には、冷温水ポンプＰ３が設けられている。
【００３４】
室内機ＲＵには、空調熱交換器４４が設けられているとともに、この熱交換器４４に対して、室内空気を通過させて再び室内へ吹き出すブロワ４６が備えられている。
各室内機ＲＵの空調用熱交換器４４の下流側の冷温水流路４７には、それぞれモータ駆動の開閉弁４８が備えられており、各室内機ＲＵに備えられたリモコンの操作信号に応じて、運転が指示された室内機ＲＵに備えられた開閉弁４８のみが開弁駆動され、他の室内機ＲＵの開閉弁４８は閉弁されたままとなる。
また、室内機ＲＵには、空調用熱交換器４４の上流で、冷温水配管内の冷温水の温度を検知するための冷温水入口サーミスタ４９が備えられている。
以上の構成により、蒸発コイル４１で低温度となった冷温水は、開閉弁４８が開弁駆動された室内機ＲＵについては、蒸発コイル４１→冷温水流路４７→空調熱交換器４４→冷温水流路４７→冷温水ポンプＰ３→蒸発コイル４１の順で循環する。
【００３５】
暖房用吸収液流路Ｌ４および冷暖切替え弁６は暖房運転用に設けられたもので、暖房運転時には冷暖切替え弁６を開弁し、吸収液ポンプＰ１を作動させる。
これにより、中濃度吸収液分離筒１２内の吸収液仕切り容器１３内の高温度の中濃度吸収液が蒸発器４内へ流入し、中濃度吸収液の高温蒸気（冷媒蒸気）によって、蒸発コイル４１内の冷温水が加熱され、加熱された蒸発コイル４１内の冷温水は、冷温水ポンプＰ３の作動により冷温水流路４７から空調用熱交換器４４へ供給され、暖房の熱源となる。
蒸発器４内の中濃度吸収液は、仕切り板４０の連通口から吸収器３側へ入り、低濃度吸収液流路Ｌ３を経て、吸収液ポンプＰ１により加熱タンク１１へ戻される。
【００３６】
以上の構成からなる本実施例の空調装置では、吸収サイクルにおいて吸収液を循環させるための吸収液ポンプＰ１と、蒸発器コイル４１で冷却または加熱された冷温水を冷温水流路４７によって室内機ＲＵの空調用熱交換器４４に循環させるための冷温水ポンプＰ３とが、同一のモータによって駆動されるタンデムポンプとして構成されていて、常に吸収液ポンプＰ１と冷温水ポンプＰ３とが同時に同一回転数で回転する。
【００３７】
次に、空調装置を制御する制御装置２００の制御動作について説明する。
制御装置２００は、ガスバーナＢの燃焼制御、吸収液ポンプＰ１及び冷温水ポンプＰ３を駆動するタンデムポンプの制御、冷温水ポンプＰ２の制御、冷却塔ＣＴの送風機Ｓの回転制御、吸収サイクル内に設けられた各弁６、７の制御等により、空調装置の冷房運転、暖房運転の各制御を行うとともに、各運転の停止中には、室外機１００と室内機ＲＵとの間を接続する冷温水流路４７内の冷温水の凍結防止のための凍結防止運転を行う。
以下では、暖房運転および凍結防止運転についてのみ説明を行い、冷房運転については説明を省略する。
【００３８】
［暖房運転］
暖房運転は、使用者によって室内機ＲＵが設置された室内に設けられたリモコン（図示なし）の暖房運転開始の指示に応じて冷暖切替え弁６を開弁し、吸収液ポンプＰ１及び冷温水ポンプＰ３を駆動するタンデムポンプの作動を開始し、ガスバーナＢを燃焼して行われる。
この実施例では、暖房運転の対象として、室内機ＲＵのみを設置したものを示しているが、この空調システムでは、図６に示すように、室外機１００は、冷温水を床暖房パネル３００にも供給可能に構成されており、制御装置２００においては、床暖房パネル３００が設置されているか否かを、床暖房パネル３００に別途備えられる床暖房パネル用リモコン（図示しない）からの操作信号の有無によって判別し、その結果に基づいて、各制御を行う。
以下では、制御装置２００の暖房制御について、図３に示すタンデムポンプの制御を参考にして説明する。
【００３９】
リモコンから暖房運転の要求信号が送出されると、その信号が床暖房パネル用リモコンからの床暖房運転信号であるか否かを判別し、床暖房運転信号である場合には（ステップ１０においてＹＥＳ）、タンデムポンプの直流モータを制御するインバータを１１０Ｈｚに制御して（ステップ１１）、タンデムポンプの回転数を３３００ｒｐｍの高回転数で駆動して、大きな揚程・流量を確保する。
【００４０】
床暖房運転信号でない場合には（ステップ１０においてＮＯ）、室内機ＲＵの暖房運転台数が１台であるかを判別し（ステップ１２）、室内機ＲＵの運転台数が２台以上の場合には（ステップ１２においてＮＯ）、タンデムポンプの直流モータを制御するインバータを７０Ｈｚに制御して（ステップ１３）、タンデムポンプの回転数を２１００ｒｐｍの中回転数で駆動し、室内機ＲＵの運転台数が１台だけの場合には（ステップ１２においてＹＥＳ）、インバータを６０Ｈｚに制御して（ステップ１４）、タンデムポンプの回転数を１８００ｒｐｍの低回転数で駆動する。
尚、上記、各回転数に制御されるタンデムポンプの回転数は、室外機１００に接続された室内機ＲＵおよび床暖房パネルの端末の台数のみによって固定回転数に制御され、各種のサーミスタの検知温度には依存しない。
【００４１】
他方、暖房運転において、ガスバーナＢの燃焼量制御では、室内機ＲＵの入口部の冷温水流路４７に設けられた冷温水入口サーミスタ４９に検知される冷温水温度Ｔｗに基づいて、この冷温水温度Ｔｗが６０℃になるように、１５００ｋｃａｌ／ｈ〜８０００ｋｃａｌ／ｈの間でガスバーナＢのインプットをガス比例弁によって制御する。
この間、室内機ＲＵでは、供給される冷温水の温度を検知する冷温水入口温度サーミスタ４９の検知温度に応じて、ブロワ４６の回転数が制御される。
また、冷却水流路３４においては、冷却水ポンプＰ２及び送風機Ｓを駆動せず、冷却水回路内に設けられた排水弁（図示なし）を開弁して、冷却水回路内の水を全て排水する。
【００４２】
［凍結防止運転］
次に凍結防止運転を図４に基づいて説明する。
凍結防止運転は、冷寒期に冷温水流路４７内の冷温水が凍結するのを防止するための運転であり、冷房運転又は暖房運転が行われていない場合にのみに行われるもので、冷房運転又は暖房運転が行われている場合には、冷温水流路４７における冷温水の凍結の恐れがないと判断して、凍結防止運転は行わない。
【００４３】
冷房運転及び暖房運転が共に行われていない場合、室外機１００に備えられた外気温度サーミスタ２０１により検知される外気温度が３℃以下か否かを判別し、３℃より高い場合には（ステップ２１においてＮＯ）、そのまま待機する。
外気温度が３℃以下の場合には（ステップ２１においてＹＥＳ）、凍結防止制御を行い（ステップ２２）、冷暖切替え弁６を開弁するとともに冷温水ポンプＰ３を駆動する直流モータを制御して、冷温水ポンプＰ３を駆動し、各室内機ＲＵに設けられた開閉弁４８をそれぞれ開弁する。
この凍結防止制御においては、室外機１００に接続された室内機ＲＵの台数および床暖房パネルの台数に応じて、後述するタンデムポンプの回転数制御を行う。
これによって室内機ＲＵを含む冷温水流路４７内を冷温水が循環するため、冷温水の流動によって、冷温水の凍結を防止することができる。
【００４４】
凍結防止制御を行っている間に、外気温度が３℃より高くなれば（ステップ２３においてＮＯ）、冷暖切替え弁６を閉弁するとともに冷温水ポンプＰ３を駆動する直流モータを停止して、冷温水ポンプＰ３を停止し、各室内機ＲＵに設けられた開閉弁４８をそれぞれ閉弁する（ステップ２４）。
尚、ステップ２２における冷暖切替え弁６の開弁制御は、冷温水ポンプＰ３が吸収液ポンプＰ１と同一回転するタンデムポンプが構成されているため、吸収サイクル内での吸収液の流路を確保するためである。
【００４５】
次に、上記ステップ２２の凍結防止制御におけるタンデムポンプの回転数制御について、図５に基づいて説明する。
床暖房パネルは、冷温水ポンプＰ３の負荷として大きいものであり、床暖房パネルが１台接続されているか否かで負荷が大幅に異なり、室内機ＲＵの空調熱交換器４４の台数による負荷の差は小さい。
そこで、制御装置２００は、凍結防止制御を行うに当たって、床暖房パネルが接続されているか否かを、床暖房パネルに備えられたリモコン（図示なし）からの信号の有無によって判別し、床暖房パネルが接続されている場合には（ステップ３１においてＹＥＳ）、さらに床暖房パネルの接続台数を判別し、床暖房パネルの接続台数が１台の場合には（ステップ３２においてＹＥＳ）、タンデムポンプを制御するインバータを９０Ｈｚに制御して、冷温水ポンプＰ３を２７００ｒｐｍの回転数で駆動する（ステップ３３）。
【００４６】
接続された床暖房パネルの台数が、１台を越えて２台以上ある場合には（ステップ３２においてＮＯ）、タンデムポンプを制御するインバータを１００Ｈｚに制御して、冷温水ポンプＰ３を３０００ｒｐｍの回転数で駆動する（ステップ３４）。
【００４７】
一方、床暖房パネルが接続されていない場合には（ステップ３１においてＮＯ）、冷温水ポンプＰ３の負荷は、室内機ＲＵの空調熱交換器４４の接続台数に依存するため、床暖房パネルが接続されていない場合には、空調熱交換器４４の接続台数を判別し、空調熱交換器４４の接続台数が２台以下の場合には（ステップ３５においてＹＥＳ）、タンデムポンプを制御するインバータを６０Ｈｚに制御して、冷温水ポンプＰ３を１８００ｒｐｍの回転数で駆動する（ステップ３６）。これによって、床暖房パネルが接続されていなくて空調熱交換器４４の接続台数の少ない程、タンデムポンプの回転による騒音を抑制できる。
【００４８】
また、接続された空調熱交換器４４の台数が２台を越えて３台以上である場合には（ステップ３５においてＮＯ）、タンデムポンプを制御するインバータを９０Ｈｚに制御して、冷温水ポンプＰ３を２７００ｒｐｍの回転数で駆動する（ステップ３７）。これによって、騒音の発生を抑制しつつ、各室内機ＲＵの空調熱交換器４４に対して確実に冷温水を循環させることができる。
【００４９】
以上のとおり、本発明によれば、室外機１００から冷温水が循環するように構成された床暖房パネルの有無に応じて、冷温水ポンプＰ３の回転数を設定することによって、大きな吐出圧が必要な床暖房パネルの接続時には、その接続台数が多い程大きな回転数にすることによって確実に冷温水を床暖房パネルに循環させることができるとともに、床暖房パネル３００の接続台数が少ない場合には可能な限り騒音を抑制できる。また、床暖房パネル３００が接続されていない場合には、室内機ＲＵの台数に応じて冷温水ポンプＰ３の回転数を抑制することができるため、室内機ＲＵの台数が少ない程騒音の発生を抑制できる。
【００５０】
以上のとおり、本発明によれば、外気温度が低い場合に、室外機１００に接続された床暖房パネル３００及び室内機ＲＵの台数に応じた回転数で冷温水ポンプＰ３を駆動するため、騒音の発生を抑制しつつ、必要な吐出圧を確保して、冷温水を確実に各床暖房パネル３００、室内機ＲＵへ循環させることができる。
【００５１】
上記各実施例では、ステップ２４において、タンデムポンプの停止と冷暖切替え弁６の閉弁とを同時に行うようにしたが、冷暖切替え弁６の閉弁をタンデムポンプの停止から数秒後（例えば１０秒程度）に遅らせてもよい。
上記実施例では、冷温水ポンプＰ３を吸収液ポンプＰ１と同一回転するようにタンデムポンプによって構成したが、冷温水ポンプＰ３と吸収液ポンプＰ１とを個別に駆動するようにしてもよい。その場合、上記ステップ２２における冷暖切替え弁６の開弁動作は、不要になる。
【００５２】
室内機ＲＵに空調熱交換器４４のみを設けたものを示したが、室内温度を下げないで除湿運転を行うために、空調熱交換器４４で一旦冷却した空気を加熱する加熱用熱交換器を空調熱交換器４４と並設させるようにしてもよい。
上記実施例では、２重効用式で説明したが、１重効用式でもよい。また、加熱源としては、石油バーナや、電気ヒータを用いてもよい。
【図面の簡単な説明】
【図１】本発明の実施例を示す吸収式空調装置の概略構成図である。
【図２】本発明の実施例を示す室外機の概略構成図である。
【図３】本発明の実施例の制御装置における暖房運転のタンデムポンプの制御動作の概略を説明するための流れ図である。
【図４】本発明の実施例の制御装置における凍結防止運転を説明するための流れ図である。
【図５】本発明の実施例の制御装置の凍結防止運転の暖房運転のタンデムポンプの制御動作の概略を説明するための流れ図である。
【図６】本発明の他の実施例を示す吸収式空調装置の概略構成図である。
【符号の説明】
１  高温再生器
２  低温再生器
３  吸収器
４  蒸発器
４１  蒸発コイル（熱交換用配管）
４４  空調熱交換器（空調用熱交換器）
４７  冷温水流路（冷温水循環回路）
５  凝縮器
５４  冷媒液貯留部
６  冷暖切替え弁
Ｂ  ガスバーナ（加熱手段）
Ｌ４  暖房用吸収液流路
Ｐ１  吸収液ポンプ
ＲＵ  室内機
Ｐ３  冷温水ポンプ
１００  室外機
１０１  熱源機（吸収式熱源機）
２００  制御装置（運転制御手段、凍結防止手段）
２０１  外気温度サーミスタ（外気温度検知手段）
３００  床暖房パネル
【図１】
0003728121.tif 000002
【図２】
0003728121.tif 000003
【図３】
0003728121.tif 000004
【図４】
0003728121.tif 000005
【図５】
0003728121.tif 000006
【図６】
0003728121.tif 000007